(57)【要約】【課題】他の構成要素を必要としない簡単な構成であり、かつ、手動でなく、自動的に画像等に対してグループ化が行われる表示装置、表示方法、コンピュータプログラム及び記録媒体を提供する。【解決手段】表示部７に表示すべき複数の画像に対して、キーワード取得部１２によって取得されたキーワードを用いて、分類部１１がグループに分類を行い、該グループの分類の結果に基づき、表示制御部８が前記複数の画像をグループに分けて表示する。【選択図】図１
2012108609.tif 000002
【特許請求の範囲】
【請求項１】
複数の画像を取得して表示する表示部を備える表示装置において、
前記複数の画像をグループに分類する分類手段と、
該分類手段によるグループの分類の結果に基づき、前記複数の画像をグループに分けて表示する表示手段と
を備えることを特徴とする表示装置。
【請求項２】
前記分類の結果に係るグループの配置指定を受け付ける配置受付手段を備えることを特徴とする請求項１に記載の表示装置。
【請求項３】
前記分類に係るキーワードを取得する取得手段を備えることを特徴とする請求項１又は２に記載の表示装置。
【請求項４】
各画像に含まれる文字を認識する文字認識手段と、
該文字認識手段による認識の結果に基づき、前記分類手段が前記複数の画像をグループに分類するように構成されていることを特徴とする請求項１から３の何れかに記載の表示装置。
【請求項５】
前記取得手段はインターネットを介してキーワードを取得できるように構成されていることを特徴とする請求項３に記載の表示装置。
【請求項６】
複数の画像を取得してグループに分けて表示する表示方法において、
各画像に含まれる文字を認識するステップと、
前記認識の結果に基づき、前記複数の画像をグループに分類するステップと
を含むことを特徴とする表示方法。
【請求項７】
コンピュータに、複数の画像を取得してグループに分けて表示させるコンピュータプログラムにおいて、
コンピュータに、各画像に含まれる文字を認識させるステップと、
コンピュータに、前記認識の結果に基づき、前記複数の画像をグループに分類させるステップと
を実行させることを特徴とするコンピュータプログラム。
【請求項８】
請求項７に記載のコンピュータプログラムを記録してあることを特徴とするコンピュータでの読み取りが可能な記録媒体。
【発明の詳細な説明】
【技術分野】
【０００１】
本発明は、複数の画像を取得して表示する表示装置、表示方法、コンピュータプログラム及び該コンピュータプログラムを記録している記録媒体に関する。
【背景技術】
【０００２】
従来、複数の人がアイデアを出し合ういわゆるアイデア会議にはＫＪ法が一般に用いられていた。ＫＪ法とは、ブレインストーミング等によって抽出されたアイデア、意見等を１つずつカードに書き込み、それらの内容について、内容の近いもの同士を集めて分類するグループ化を繰り返し、グループ間の関係性を整理するという方法である。
【０００３】
このような、ＫＪ法については、例えば、特許文献１には、小型内蔵カメラ、メモリ、イメージプロセッサ、通信ユニットを備えた入力デバイスと、該入力デバイスによってどの紙のどの位置に情報が記入されたか等の情報を識別するための情報が埋め込まれ、無線タグが取り付けられている用紙（カード及び台紙）とを用い、机上でブレインストーミング又はＫＪ法を行うことが出来るアイデア抽出支援システムが開示されている。
【先行技術文献】
【特許文献】
【０００４】
【特許文献１】特開２００８−１２３２６５号公報
【発明の概要】
【発明が解決しようとする課題】
【０００５】
しかしながら、上述したような特許文献１のアイデア抽出支援システムにおいては、小型内蔵カメラ、メモリ、イメージプロセッサ、通信ユニットを備えた入力デバイス、情報が埋め込まれ、無線タグが取り付けられている用紙等の他の構成要素を必要とし、コストがかかる。
【０００６】
更に、特許文献１のアイデア抽出支援システムでは、ＫＪ法におけるグループ化を手動にて行われる構成であり、利用者の手間がかかるという問題もあった。
【０００７】
本発明は、斯かる事情に鑑みてなされたものであり、その目的とするところは、分類手段を備え、表示部に表示すべき複数の画像に対してグループに分類を行い、該グループの分類の結果に基づき、前記複数の画像をグループに分けて表示することにより、他の構成要素を必要としない簡単な構成であり、かつ、手動でなく、自動的に前記複数の画像に対するグループ化が行われる表示装置、表示方法、コンピュータプログラム及び記録媒体を提供するところにある。
【課題を解決するための手段】
【０００８】
本発明に係る表示装置は、複数の画像を取得して表示する表示部を備える表示装置において、前記複数の画像をグループに分類する分類手段と、該分類手段によるグループの分類の結果に基づき、前記複数の画像をグループに分けて表示する表示手段とを備えることを特徴とする。
【０００９】
本発明にあっては、前記表示部に表示すべき複数の画像に対して、前記分類手段がグループに分類を行い、前記表示手段は、該分類手段によるグループの分類の結果に基づき、前記複数の画像をグループに分けて表示する。
【００１０】
本発明に係る表示装置は、前記分類の結果に係るグループの配置指定を受け付ける配置受付手段を備えることを特徴とする。
【００１１】
本発明にあっては、前記配置受付手段が前記分類の結果に係るグループの配置指定を利用者から受け付け、該配置受付手段が受け付けた配置指定に基づき、前記表示手段は、前記分類の結果に係るグループを分けて表示する。
【００１２】
本発明に係る表示装置は、前記分類に係るキーワードを取得する取得手段を備えることを特徴とする。
【００１３】
本発明にあっては、前記取得手段が前記分類に係るキーワードを取得し、該取得手段が取得したキーワードを用いて前記分類手段が前記複数の画像をグループに分類する。
【００１４】
本発明に係る表示装置は、各画像に含まれる文字を認識する文字認識手段と、該文字認識手段による認識の結果に基づき、前記分類手段が前記複数の画像をグループに分類するように構成されていることを特徴とする。
【００１５】
本発明にあっては、前記文字認識手段は前記複数の画像の夫々に含まれる文字を認識する。このような、各画像に対する文字の認識の結果に基づき、前記分類手段が前記複数の画像をグループに分類する。
【００１６】
本発明に係る表示装置は、前記取得手段はインターネットを介してキーワードを取得できるように構成されていることを特徴とする。
【００１７】
本発明にあっては、前記取得手段が前記分類に係るキーワードをインターネットを介して取得し、該取得手段が取得したキーワードを用いて前記分類手段が前記複数の画像をグループに分類する。
【００１８】
本発明に係る表示方法は、複数の画像を取得してグループに分けて表示する表示方法において、各画像に含まれる文字を認識するステップと、前記認識の結果に基づき、前記複数の画像をグループに分類するステップとを含むことを特徴とする。
【００１９】
本発明に係るコンピュータプログラムは、コンピュータに、複数の画像を取得してグループに分けて表示させるコンピュータプログラムにおいて、コンピュータに、各画像に含まれる文字を認識させるステップと、コンピュータに、前記認識の結果に基づき、前記複数の画像をグループに分類させるステップとを実行させることを特徴とする。
【００２０】
本発明にあっては、前記複数の画像の夫々に含まれる文字が認識される。これによって、各画像に対して認識された文字に基づき、前記複数の画像がグループに分類される。
【００２１】
本発明に係る記録媒体は、前述の発明のコンピュータプログラムを記録してあることを特徴とする。
【００２２】
本発明にあっては、前記記録媒体に前述のコンピュータプログラムを記録する。コンピュータが前記記録媒体からコンピュータプログラムを読み出して、前述の表示装置、及び表示方法がコンピュータにより実現される。
【発明の効果】
【００２３】
本発明によれば、前記分類手段により、前記表示部に表示すべき複数の画像に対してグループに分類を行い、該グループの分類の結果に基づき、前記複数の画像をグループに分けて表示するので、他の構成要素を必要としない簡単な構成である上に、手動でなく、自動的に前記複数の画像に対するグループ化が行われる。
【図面の簡単な説明】
【００２４】
【図１】本発明の実施の形態１の電子黒板装置の要部構成を示す機能ブロック図である。
【図２】本発明の実施の形態１における電子黒板装置の記憶部のキーワードテーブルの一例を示す例示図である。
【図３】本発明の実施の形態１における電子黒板装置の記憶部のキーワードテーブルの一例を示す例示図である。
【図４】本発明の実施の形態１の電子黒板装置における、グループ分け操作メニューの操作を説明する説明図である。
【図５】本発明の実施の形態１の電子黒板装置における、グループ分け操作メニューの操作を説明する説明図である。
【図６】本発明の実施の形態１の電子黒板装置における、グループ分け操作メニューの操作を説明する説明図である。
【図７】本発明の実施の形態１の電子黒板装置における、グループ分け表示の処理を示すフローチャートである。
【図８】本発明の実施の形態１の電子黒板装置の表示部に、取得画像に基づく複数の画像が表示されている例を示す例示図である。
【図９】本発明の実施の形態１の電子黒板装置において、グループ分けの操作メニューの表示操作を説明する説明図である。
【図１０】本発明の実施の形態１の電子黒板装置における、グループ分け表示の処理結果を示す例示図である。
【図１１】本発明の実施の形態２の電子黒板装置の要部構成を示す機能ブロック図である。
【図１２】本発明の実施の形態２の電子黒板装置における、グループ分け表示の処理を示すフローチャートである。
【図１３】本発明の実施の形態２の電子黒板装置におけるグループ分け操作メニューの操作を説明する説明図である。
【図１４】本発明の実施の形態３の電子黒板装置の要部構成を示す機能ブロック図である。
【発明を実施するための形態】
【００２５】
以下に、本発明の実施の形態に係る、表示装置、表示方法及びコンピュータプログラム及び記録媒体を、いわゆる電子黒板装置に適用した場合を例として、図面に基づいて詳述する。
【００２６】
（実施の形態１）
図１は本発明の実施の形態１の電子黒板装置１００の要部構成を示す機能ブロック図である。電子黒板装置１００はＣＰＵ１、ＲＯＭ２及びＲＡＭ３を備えている。
【００２７】
ＲＯＭ２には各種の制御プログラム（例えば、電子黒板アプリケーション、描画用アプリケーション等）が予め格納されており、ＲＡＭ３はデータを一時的に記憶し、記憶順、記憶位置等に関係なく読み出すことが可能である。また、ＲＡＭ３は、例えば、ＲＯＭ２から読み出されたプログラム、該プログラムを実行することにより発生する各種データ等を記憶する。
【００２８】
ＣＰＵ１は、ＲＯＭ２に予め格納されている制御プログラムをＲＡＭ３上にロードして実行することによって、バスＮを介して以下の各種ハードウェアの制御を行い、装置全体を本発明の電子黒板装置１００として動作させる。
【００２９】
また、電子黒板装置１００は、表示部７と、該表示部７への文字、画像等の表示を制御する表示制御部８と、後述するペン形入力器９２を介して利用者から表示部７上の位置指定、選択等の入力を受け付けるペン入力部９と、該ペン入力部９による入力の受付を制御するペン入力制御部１０と、表示部７に表示すべき画像をグループ毎に分類する分類部１１と、該分類部１１による分類に係るキーワード又は分類基準を取得するキーワード取得部１２と、表示部７に表示すべき画像に含まれる文字を認識する文字認識部１３と、分類部１１による分類の結果に係るグループの表示部７への配置指定を受け付ける配置受付部１４と、外部と画像の送受信を行う通信部６とを備えている。
【００３０】
更に、電子黒板装置１００は、例えば、ハードディスク等の不揮発性の半導体メモリであり、後述する取得画像が記憶される記憶部４と、所定時刻からの時間の経過を測る計時部５とを備えている。
【００３１】
記憶部４には、キーワードテーブルが記憶されている。該キーワードテーブルには、分類部１１が分類処理を行う際に用いるキーワード又は分類基準が記憶されている。キーワード取得部１２は、記憶部４のキーワードテーブルに基づき、分類部１１が分類処理を行う際に用いるキーワード又は分類基準を取得する。
【００３２】
図２及び図３は本発明の実施の形態１における電子黒板装置１００の記憶部４のキーワードテーブルの一例を示す例示図である。
【００３３】
図２に示すキーワードテーブルには、表示すべき画像を、動物／植物にグループ分けするためのキーワード、アジア／ヨーロッパに分類するためのキーワード等が書き込まれている。
【００３４】
図３に示すキーワードテーブルには、表示すべき画像を、カラー／白黒、当該画像の原稿のサイズ、メモ書きの有／無などを基準に分類するためのキーワード等が書き込まれている。
【００３５】
例えば、利用者が、キーワード又は分類基準を用いて分類を実行させる場合、表示部７には後述するグループ分け操作メニューが表示される。該グループ分け操作メニューには、記憶部４のキーワードテーブルに基づき、選択項目が表示される。
【００３６】
表示部７は、例えばＬＣＤモニタであり、表示部７には、例えば、接続された外部（画像読取装置２００）から送信され、通信部６を介して取得された取得画像が表示される。また、表示部７には、電子黒板装置１００にて動作するソフトウエアを選択して起動させるためのインターフェース画面等が表示されている。
【００３７】
表示制御部８は、分類部１１によって分類された、複数の取得画像をグループに分けて表示部７に表示させる。
詳しくは、表示部７に表示すべき複数の取得画像に対して、キーワード取得部１２によって取得されたキーワードを用いて、分類部１１が分類処理を行う。一方、配置受付部１４が、分類部１１による分類処理の結果に係るグループの配置指定を受け付ける。表示制御部８は、分類部１１による分類処理の結果、及び配置受付部１４が受け付けたグループの配置指定に基づき、前記複数の取得画像を表示部７に表示する。
【００３８】
ペン入力部９は、いわゆるタッチパネルであり、利用者から表示部７の表示画面上における位置指定を受け付ける位置指定受付部９１と、ペン形状を有しており、利用者による該位置指定の際に用いるペン形入力器９２とを備えている。ペン入力部９は、これらを介して、利用者から表示部７上の位置指定を受け付け、ペン入力部９が受け付けた位置指定に基づき、ＣＰＵ１は、利用者による所定の選択として受け付ける。
【００３９】
ペン入力制御部１０は、ペン入力部９による位置指定の受付に関する制御を行ない、また、ペン入力部９の位置指定受付部９１を介して受け付けられる位置指定に係る座標（以下、指定座標と言う）をＣＰＵ１に送出する。
【００４０】
ＣＰＵ１は、ペン入力制御部１０から指定座標を取得して、該指定座標に対応する、例えば、前記インターフェース画面の所定のソフトキーが選択されたものと認識する。
【００４１】
ペン入力部９の位置指定受付部９１は、表示部７の表示画面上に重ねて設置される。本実施の形態では位置指定受付部９１がいわゆる光遮断型であるものとする。該光遮断型においては、入力はペン形入力器９２の先端が位置指定受付部９１表面の直近に近づいたことに応じて、位置指定受付部９１により光遮断が検出されることによって実現される。なお、ペン形入力器９２に限るものでなく、利用者の指によって操作可能に構成しても良い。  
【００４２】
文字認識部１３は、取得画像に含まれる文字を認識する。例えば、文字認識部１３は該取得画像にＯＣＲ処理を施し、該ＯＣＲ処理によって取得できるテキストデータに対応する文字を認識する。
【００４３】
キーワード取得部１２は、上述したように、記憶部４のキーワードテーブルに基づき、分類部１１が分類処理を行う際に用いるキーワード又は分類基準を取得する。分類部１１は、キーワード取得部１２によって取得されたキーワード又は分類基準に基づいて分類処理を行う。例えば、分類部１１は、文字認識部１３による文字認識の結果に基づき、当該キーワードを含む画像と、該キーワードを含まない画像とに分類することができ、動物／植物のように、夫々異なるグループに分類することも可能である。
【００４４】
分類部１１は、キーワード取得部１２によって取得されたキーワードを用いて分類処理のみでなく、画像の形式などの分類基準を用いて、分類処理を行う。従って、カラー／白黒のように、夫々異なる形式に分類することも可能である。すなわち、キーワード取得部１２は、分類部１１が分類処理を行う際に用いるキーワードを取得し、かつ、分類部１１が分類処理を行う際に用いる分類基準を取得する。該分類基準とは、例えば、記憶部４のキーワードテーブルに記憶されているように、表示すべき画像に係る原稿がカラーか／白黒か、該原稿のサイズ（Ａ４、Ａ３、Ｂ４等）、該原稿がテキストであるか／イメージであるかなどが例に挙げられる。
【００４５】
配置受付部１４は、分類部１１による分類処理の結果に係るグループの配置指定を受け付ける。すなわち、分類部１１による分類処理の結果に係るグループが複数ある場合、これら複数のグループを、上下対向表示、左右対向表示、又はシーツ毎表示等の配置指定を受け付ける。表示制御部８は、配置受付部１４が受け付けたグループの配置指定に基づき、前記複数の取得画像を、グループに分けて表示部７に表示する。
【００４６】
通信部６は、外部の画像読取装置２００と接続されており、画像読取装置２００が読み取った画像を取得し、記憶部４に送る。
【００４７】
図４から図６は本発明の実施の形態１の電子黒板装置１００における、前記グループ分け操作メニューの操作を説明する説明図である。
例えば、利用者が表示部７のインターフェース画面を適宜操作することにより、表示部７には、図４に示すように、グループ分け操作メニューが表示される。
【００４８】
前記グループ分け操作メニューには「グループ分け条件選択」の項目と、「グループ配置選択」との項目が設けられている。利用者は、何れかの項目に係るラジオボタンをチェックすることによって、当該項目を選択することができる。
【００４９】
例えば、利用者によって「グループ分け条件選択」の項目が選択された場合は、図５に示すように、「キーワードで分ける」の項目と、「形式でわける」との項目が設けられているサブメニューが表示される。また、夫々の項目にはサブ項目を表示するためのプルダウンメニューが設けられている。例えば、プルダウンメニューから「動物／植物」の項目が利用者によって選択された場合は、キーワード取得部１２は、前記キーワードテーブルに基づき、動物グループ及び植物グループの夫々に該当するキーワードを取得する。
【００５０】
更に、前記サブメニューには「分類開始」のソフトキーが設けられており、利用者が該「分類開始」のソフトキーを操作することによって、キーワード取得部１２が取得したキーワード又は分類基準に基づく分類が開始される。
【００５１】
すなわち、利用者は、前記グループ分け操作メニューを適宜操作してグループ分けの条件を選択し、キーワード取得部１２は前記グループ分け操作メニューを介して当該分類係るキーワード又は分類基準を取得する。なお、これに限るものでなく、利用者が所定のキーワードを自ら入力（例えば、ペン形入力器９２を用いた手書き）できるように構成しても良い。
【００５２】
一方、例えば、利用者によって「グループ配置選択」との項目が選択された場合は、図６に示すように、「上／下」の項目と、「左／右」との項目と、「左上／右下」の項目と、「右上／左下」との項目と、「シート別」との項目が設けられているサブメニューが表示される。例えば、プルダウンメニューから「上／下」の項目が利用者によって選択された場合は、配置受付部１４は、上／下にグループを配置する旨の配置指定を受け付ける。
【００５３】
すなわち、利用者は、前記グループ分け操作メニューを適宜操作して分類部１１による分類処理の結果に係るグループの配置指定を行い、配置受付部１４は前記グループ分け操作メニューを介して、該グループの配置指定を受け付ける。
【００５４】
図７は本発明の実施の形態１の電子黒板装置１００における、グループ分け表示の処理を示すフローチャートである。説明の便宜上、利用者はグループ分け表示の操作に先立って、画像読取装置２００による原稿の読取を指示するものとする。
【００５５】
画像読取装置２００は前記原稿の読取を行い、画像読取装置２００によって読み取られた複数の画像は、通信部６によって取得され（Ｓ１０１）、記憶部４に記憶される。表示制御部８は記憶部４に記憶されている複数の画像を表示部７に表示している。図８は本発明の実施の形態１の電子黒板装置１００の表示部７に、取得画像に基づく複数の画像が表示されている例を示す例示図である。
【００５６】
斯かる際、例えば、前記複数の画像の大きさが異なる場合には、表示制御部８が、図８に示すように、前記複数の画像を均一の大きさに縮小／拡大して表示するように構成しても良い。
【００５７】
次いで、利用者は前記インターフェース画面を適宜操作して、グループ分けの操作メニューの表示を指示する。図９は本発明の実施の形態１の電子黒板装置１００において、前記グループ分けの操作メニューの表示操作を説明する説明図である。
【００５８】
図９に示すインターフェース画面の所定のソフトキー（図中、矢印にて表示）を、例えば、利用者がペン形入力器９２を用いて２回タッチ操作した場合、ＣＰＵ１は、該タッチ操作に斯かる指定座標をペン入力制御部１０から取得し、これによって、ＣＰＵ１は前記グループ分けの操作メニューの表示の指示を受け付ける（Ｓ１０２）。その後、ＣＰＵ１は表示制御部８に指示し、図４に示したグループ分けの操作メニューを表示部７に表示する（Ｓ１０３）。
【００５９】
ついで、利用者は、図５に示す前記グループ分けの操作メニューのサブメニューを適宜操作してキーワード又は分類基準の取得を指示する。キーワード取得部１２は前記グループ分けの操作メニューを介してキーワード又は分類基準の取得の指示を受け付け、記憶部４のキーワードテーブルに基づき、キーワード又は分類基準を取得する（Ｓ１０４）。キーワード取得部１２によるキーワード又は分類基準の取得については、上述したとおりであり、詳しい説明は省略する。（以下においては、説明の便宜上、キーワード取得部１２がキーワードを取得した場合を例として説明する。）
【００６０】
また、利用者は、図６に示す前記グループ分けの操作メニューのサブメニューを適宜操作して、分類部１１による分類処理の結果に係るグループの配置を指定する。配置受付部１４は前記グループ分けの操作メニューを介して前記グループの配置指示を受け付け（Ｓ１０５）。配置受付部１４による位置指定の受付については、上述したとおりであり、詳しい説明は省略する。
【００６１】
キーワード又は分類基準の取得の指示、並びにグループの配置指定の後、利用者は図５又は図６のサブメニューに設けられた「分類開始」のソフトキーを操作する。ＣＰＵ１は該サブメニューの「分類開始」のソフトキーを介して分類を開始する指示を受け付ける（Ｓ１０６）。
【００６２】
次いで、ＣＰＵ１は、Ｓ１０１にて取得した取得画像に含まれる文字の認識を文字認識部１３に指示する。ＣＰＵ１の指示に応じて、文字認識部１３は該取得画像にＯＣＲ処理を施し、該ＯＣＲ処理によって取得したテキストデータに対応する文字を認識する（Ｓ１０７）。
【００６３】
この後、分類部１１が分類処理を行う（Ｓ１０８）。すなわち、分類部１１は、キーワード取得部１２によって取得されたキーワードと、文字認識部１３によって認識された各画像に含まれる文字とを比較することによって、分類処理を行う。例えば、分類部１１は当該キーワードを文字として含む画像と、該キーワードを含まない画像とに分類する。
【００６４】
分類部１１による分類処理が終了した後、ＣＰＵ１は、分類部１１による分類処理の結果に係るグループに分けて、前記取得画像を表示するように、表示制御部８に指示する。表示制御部８は、ＣＰＵ１の指示に応じて、配置受付部１４が受け付けたグループの配置指定に基づき、前記取得画像をグループに分けて表示する（Ｓ１０９）。
【００６５】
図１０は本発明の実施の形態１の電子黒板装置１００における、グループ分け表示の処理結果を示す例示図である。説明の便宜上、Ｓ１０５にて、配置受付部１４は分類処理結果に係るグループを上／下に配置する旨の配置指示を受け付けており、分類部１１による分類の結果、所定のキーワードを含む画像と、該キーワードを含まない画像とに分類されたものとする。
【００６６】
当該処理前における、図９に示した前記複数の取得画像は、本発明に係るグループ分け表示の処理によって、図１０に示すように、所定のキーワードを含む画像と、該キーワードを含まない画像とに分けられ、夫々表示部７上／下に対向配置されている。
【００６７】
本発明に係る表示装置の構成は、以上の記載に限るものでない。例えば、画像読取装置２００が電子黒板装置１００に内蔵されるように構成してもよく、ＣＰＵ１が電子黒板装置１００の外部に設けられるように構成しても良い。
【００６８】
（実施の形態２）
図１１は本発明の実施の形態２の電子黒板装置１００の要部構成を示す機能ブロック図である。実施の形態２の電子黒板装置１００は、実施の形態１の電子黒板装置１００と略同様の構成であるが、通信部６を介して画像読取装置２００のみでなく、インターネット３００にも接続されている。従って、実施の形態２の電子黒板装置１００はインターネットからキーワードを取得することができる。
【００６９】
図１２は本発明の実施の形態２の電子黒板装置１００における、グループ分け表示の処理を示すフローチャートである。
【００７０】
利用者はグループ分け表示の操作に先立って、画像読取装置２００による原稿の読取を指示する。画像読取装置２００は前記原稿の読取を行い、画像読取装置２００によって読み取られた複数の画像は、通信部６によって取得され（Ｓ２０１）、記憶部４に記憶される。表示制御部８は記憶部４に記憶されている複数の画像を表示部７に表示している。
【００７１】
次いで、利用者は前記インターフェース画面を適宜操作して、グループ分けの操作メニューの表示を指示する。これによって、ＣＰＵ１は前記グループ分けの操作メニューの表示の指示を受け付ける（Ｓ２０２）。その後、ＣＰＵ１は表示制御部８に指示し、図４に示したグループ分けの操作メニューを表示部７に表示する（Ｓ２０３）。
【００７２】
ついで、利用者は図１３に示すグループ分けの操作メニューのサブメニューを適宜操作してキーワード又は分類基準の取得を指示する。該サブメニューには、実施の形態１の場合と異なり、「インターネットから取得」の項目が更に設けられている。以下においては、説明の便宜上、利用者が前記サブメニューの「インターネットから取得」の項目のラジオボタンをチェックした場合を例として説明する。
【００７３】
利用者が前記サブメニューの「インターネットから取得」の項目のラジオボタンをチェックした場合、ＣＰＵ１は、通信部６にインターネット３００との接続を指示する。ＣＰＵ１の指示に応じて通信部６はインターネット３００と接続する（Ｓ２０４）。
【００７４】
次いで、キーワード取得部１２は、インターネット３００からキーワードを取得する（Ｓ２０５）。例えば、キーワード取得部１２は通信部６を介してＧｏｏｇｌｅ（登録商標）に接続し、１位の検索語をキーワードとして取得する。
【００７５】
以降における処理は、実施の形態１におけるＳ１０５からＳ１０９の処理と同様であり、詳しい説明を省略する。
【００７６】
実施の形態１と同様の部分については、同一の符号を付して詳細な説明を省略する。
【００７７】
（実施の形態３）
図１４は本発明の実施の形態３の電子黒板装置１００の要部構成を示す機能ブロック図である。実施の形態３の電子黒板装置１００は、動作を行うためのコンピュータプログラムが、Ｉ／Ｆ１５を介してＣＤ−ＲＯＭ等の可搬型記録媒体Ａで提供することも可能であるように構成されている。さらに、実施の形態３の電子黒板装置１００は、前記コンピュータプログラムを、図示しない外部装置から通信部６を介してダウンロードすることも可能であるように構成されている。以下に、その内容を説明する。
【００７８】
実施の形態３の電子黒板装置１００は外装（又は内装）の記録媒体読み取り装置（図示せず）を備えており、該記録媒体読み取り装置に、各画像に含まれる文字を認識させ、該認識の結果に基づき、複数の画像をグループに分類させるプログラム等が記録された可搬型記録媒体Ａを挿入して、例えば、ＣＰＵ１がＲＯＭ２にこのプログラムをインストールする。かかるプログラムはＲＡＭ３にロードして実行される。これにより、実施の形態１及び実施の形態２の本発明の電子黒板装置１００として機能する。
【００７９】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００８０】
通信部６を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００８１】
実施の形態１と同様の部分については、同一の符号を付して詳細な説明を省略する。
【符号の説明】
【００８２】
１  ＣＰＵ
６  通信部
７  表示部
８  表示制御部（表示手段）
１１  分類部
１２  キーワード取得部
１３  文字認識部
１４  配置受付部
１００  電子黒板装置
【図１】
2012108609.tif 000003
【図２】
2012108609.tif 000004
【図３】
2012108609.tif 000005
【図４】
2012108609.tif 000006
【図５】
2012108609.tif 000007
【図６】
2012108609.tif 000008
【図７】
2012108609.tif 000009
【図８】
2012108609.tif 000010
【図９】
2012108609.tif 000011
【図１０】
2012108609.tif 000012
【図１１】
2012108609.tif 000013
【図１２】
2012108609.tif 000014
【図１３】
2012108609.tif 000015
【図１４】
2012108609.tif 000016